(57)【要約】【課題】第２通信方式に対しコスト等の増大なく且つ第１通信方式の下で開発されたソフトウェア等の資産の無駄を避けられる無線通信システム等を提供する。【解決手段】基地局１０は情報データＩｎｆ１を第１通信方式に基づきベースバンド処理して第１通信方式のベースバンド信号ＢＢ１を出力する基地局側第１通信方式ベースバンド部１２と、情報データＩｎｆ２とＢＢ１からサンプリングされたデータＢＢ１−ｓａｍｐとを第２通信方式に基づきベースバンド処理して第２通信方式のベースバンド信号ＢＢ２を出力する基地局側第２通信方式ベースバンド部１４とを備え、端末装置２０はＢＢ２を第２通信方式に基づきベースバンド処理してＩｎｆ２を出力する端末装置側第２通信方式ベースバンド部２４と、Ｉｎｆ２から取得されたＢＢ１を第１通信方式に基づきベースバンド処理して、Ｉｎｆ１を出力する端末装置側第１通信方式ベースバンド部２２とを備えている。【選択図】  図１
2008252492.tif 000002
【特許請求の範囲】
【請求項１】
無線通信を行う基地局と端末装置との間の無線通信システムであって、
前記基地局は、
入力した情報データを第１通信方式に基づきベースバンド処理して第１通信方式のベースバンド信号を出力する基地局側第１通信方式ベースバンド部と、
情報データと前記基地局側第１通信方式ベースバンド部により出力された第１通信方式のベースバンド信号からサンプリングされたデータとを第１通信方式とは異なり且つ第１通信方式以上のデータ通信容量を有する第２通信方式に基づきベースバンド処理して第２通信方式のベースバンド信号を出力する基地局側第２通信方式ベースバンド部とを備え、
前記端末装置は、
第２通信方式のベースバンド信号を第２通信方式に基づきベースバンド処理して情報データを出力する端末装置側第２通信方式ベースバンド部と、
前記端末装置側第２通信方式ベースバンド部により出力された情報データから取得された第１通信方式のベースバンド信号を第１通信方式に基づきベースバンド処理して情報データを出力する端末装置側第１通信方式ベースバンド部とを備えたことを特徴とする無線通信システム。
【請求項２】
請求項１記載の無線通信システムにおいて、
前記基地局は、
前記基地局側第２通信方式ベースバンド部により出力された第２通信方式のベースバンド信号、又は前記第２基地局側通信方式ベースバンド部の前記基地局側第１通信方式ベースバンド部に対する関係と同じ関係を有する１以上の基地局側通信方式ベースバンド部を備えた場合は該１以上の基地局側通信方式ベースバンド部の最後の基地局側通信方式ベースバンド部により出力された最後の通信方式のベースバンド信号の無線処理を行って生成した無線信号を基地局アンテナを介して送信する基地局側無線処理送信部をさらに備え、
前記端末装置は、
前記基地局側無線処理送信部により送信され端末装置アンテナを介して受信した無線信号を処理して第２通信方式のベースバンド信号、又は前記第２端末装置側通信方式ベースバンド部の前記端末装置側第１通信方式ベースバンド部に対する関係と同じ関係を有する１以上の端末装置側通信方式ベースバンド部を備えた場合は最後の通信方式のベースバンド信号を出力する端末装置側無線処理受信部をさらに備えたことを特徴とする無線通信システム。
【請求項３】
請求項１又は２記載の無線通信システムにおいて、前記各端末装置側通信方式ベースバンド部としてソフトウェア無線機を用いることを特徴とする無線通信システム。
【請求項４】
端末装置と無線通信を行う基地局であって、
入力した情報データを第１通信方式に基づきベースバンド処理して第１通信方式のベースバンド信号を出力する基地局側第１通信方式ベースバンド部と、
情報データと前記基地局側第１通信方式ベースバンド部により出力された第１通信方式のベースバンド信号からサンプリングされたデータとを第１通信方式とは異なり且つ第１通信方式以上のデータ通信容量を有する第２通信方式に基づきベースバンド処理して第２通信方式のベースバンド信号を出力する基地局側第２通信方式ベースバンド部とを備えたことを特徴とする基地局。
【請求項５】
請求項４記載の基地局において、
前記基地局側第２通信方式ベースバンド部により出力された第２通信方式のベースバンド信号、又は前記第２基地局側通信方式ベースバンド部の前記基地局側第１通信方式ベースバンド部に対する関係と同じ関係を有する１以上の基地局側通信方式ベースバンド部を備えた場合は該１以上の基地局側通信方式ベースバンド部の最後の基地局側通信方式ベースバンド部により出力された最後の通信方式のベースバンド信号の無線処理を行って生成した無線信号を基地局アンテナを介して送信する基地局側無線処理送信部をさらに備えたことを特徴とする基地局。
【請求項６】
基地局と無線通信を行う端末装置であって、
第１通信方式とは異なり且つ第１通信方式以上のデータ通信容量を有する第２通信方式のベースバンド信号を第２通信方式に基づきベースバンド処理して情報データを出力する端末装置側第２通信方式ベースバンド部と、
前記端末装置側第２通信方式ベースバンド部により出力された情報データから取得された第１通信方式のベースバンド信号を第１通信方式に基づきベースバンド処理して情報データを出力する端末装置側第１通信方式ベースバンド部とを備えたことを特徴とする端末装置。
【請求項７】
請求項６記載の端末装置において、
前記基地局側から送信され端末装置アンテナを介して受信した無線信号を処理して第２通信方式のベースバンド信号、又は前記第２端末装置側通信方式ベースバンド部の前記端末装置側第１通信方式ベースバンド部に対する関係と同じ関係を有する１以上の端末装置側通信方式ベースバンド部を備えた場合は最後の通信方式のベースバンド信号を出力する端末装置側無線処理受信部をさらに備えたことを特徴とする端末装置。
【請求項８】
請求項６又は７記載の端末装置において、前記各端末装置側通信方式ベースバンド部としてソフトウェア無線機を用いることを特徴とする端末装置。
【発明の詳細な説明】
【技術分野】
【０００１】
本発明は、無線通信を行う基地局と端末装置との間の無線通信システム等に関し、特に、通信方式の上位互換性を実現するための無線通信システム等に関する。
【背景技術】
【０００２】
近年、基地局と端末装置との間の無線通信における新たな通信方式の登場が増大している。基地局と端末装置との間の無線通信で複数の通信方式に対応するには、通信方式毎に、アンテナ、無線（ＲＦ）処理部、ベースバンド処理部が必要である。従って、新たな通信方式に対応するためには、その対応のためのコスト、端末装置のサイズ等が増大するという問題があった。さらに、古い通信方式から新たな通信方式へ変更してしまうと、新たな通信方式のために種々のソフトウェア等の開発が必要となるだけでなく、古い通信方式の下で開発されたソフトウェア等の資産が無駄になってしまうという問題もあった。
【０００３】
特許文献１には、複数通信方式の異なる周波数のＲＦ信号を周波数変換し、その電波の信号波形をディジタル信号へ変換せずにその（アナログ）信号で光に強度変調を施すことにより電気−光（Ｅ／Ｏ）変換を行い、１本の光ファイバで伝送するという、光ファイバ無線伝送技術が記載されている。
【０００４】
【特許文献１】特開２００２−３３６９４号公報
【発明の開示】
【発明が解決しようとする課題】
【０００５】
上述した特許文献１の技術はアナログ信号を１本の光ファイバで伝送するため、複数通信方式に対応するには光伝送のための別の設備が必要になり、そのためのコスト等が増大するという問題があった。特許文献１の技術では、古い通信方式から新たな通信方式へ変更した場合における新たな通信方式のための種々のソフトウェア等の開発の必要性および古い通信方式の下で開発されたソフトウェア等の資産の無駄は避けられないという問題もあった。
【０００６】
そこで、本発明の目的は、上記問題を解決するためになされたものであり、基地局と端末装置との間の無線通信における新たな通信方式または異なる複数の通信方式に対し、コスト、端末装置のサイズ等を増大させなくても対応可能であり、且つ新たな通信方式または異なる複数の通信方式のために種々のソフトウェア等を開発する必要性と古い通信方式の下で開発されたソフトウェア等の資産の無駄とを避けることが可能な無線通信システム等を提供することにある。
【課題を解決するための手段】
【０００７】
この発明の無線通信システムは、無線通信を行う基地局と端末装置との間の無線通信システムであって、前記基地局は、入力した情報データを第１通信方式に基づきベースバンド処理して第１通信方式のベースバンド信号を出力する基地局側第１通信方式ベースバンド部と、情報データと前記基地局側第１通信方式ベースバンド部により出力された第１通信方式のベースバンド信号からサンプリングされたデータとを第１通信方式とは異なり且つ第１通信方式以上のデータ通信容量を有する第２通信方式に基づきベースバンド処理して第２通信方式のベースバンド信号を出力する基地局側第２通信方式ベースバンド部とを備え、前記端末装置は、第２通信方式のベースバンド信号を第２通信方式に基づきベースバンド処理して情報データを出力する端末装置側第２通信方式ベースバンド部と、前記端末装置側第２通信方式ベースバンド部により出力された情報データから取得された第１通信方式のベースバンド信号を第１通信方式に基づきベースバンド処理して情報データを出力する端末装置側第１通信方式ベースバンド部とを備えたことを特徴とする。
【０００８】
ここで、この発明の無線通信システムにおいて、前記基地局は、前記基地局側第２通信方式ベースバンド部により出力された第２通信方式のベースバンド信号、又は前記第２基地局側通信方式ベースバンド部の前記基地局側第１通信方式ベースバンド部に対する関係と同じ関係を有する１以上の基地局側通信方式ベースバンド部を備えた場合は該１以上の基地局側通信方式ベースバンド部の最後の基地局側通信方式ベースバンド部により出力された最後の通信方式のベースバンド信号の無線処理を行って生成した無線信号を基地局アンテナを介して送信する基地局側無線処理送信部をさらに備え、前記端末装置は、前記基地局側無線処理送信部により送信され端末装置アンテナを介して受信した無線信号を処理して第２通信方式のベースバンド信号、又は前記第２端末装置側通信方式ベースバンド部の前記端末装置側第１通信方式ベースバンド部に対する関係と同じ関係を有する１以上の端末装置側通信方式ベースバンド部を備えた場合は最後の通信方式のベースバンド信号を出力する端末装置側無線処理受信部をさらに備えることができる。
【０００９】
ここで、この発明の無線通信システムにおいて、前記各端末装置側通信方式ベースバンド部としてソフトウェア無線機を用いることができる。
【００１０】
この発明の基地局は、端末装置と無線通信を行う基地局であって、入力した情報データを第１通信方式に基づきベースバンド処理して第１通信方式のベースバンド信号を出力する基地局側第１通信方式ベースバンド部と、情報データと前記基地局側第１通信方式ベースバンド部により出力された第１通信方式のベースバンド信号からサンプリングされたデータとを第１通信方式とは異なり且つ第１通信方式以上のデータ通信容量を有する第２通信方式に基づきベースバンド処理して第２通信方式のベースバンド信号を出力する基地局側第２通信方式ベースバンド部とを備えたことを特徴とする。
【００１１】
ここで、この発明の基地局において、前記基地局側第２通信方式ベースバンド部により出力された第２通信方式のベースバンド信号、又は前記第２基地局側通信方式ベースバンド部の前記基地局側第１通信方式ベースバンド部に対する関係と同じ関係を有する１以上の基地局側通信方式ベースバンド部を備えた場合は該１以上の基地局側通信方式ベースバンド部の最後の基地局側通信方式ベースバンド部により出力された最後の通信方式のベースバンド信号の無線処理を行って生成した無線信号を基地局アンテナを介して送信する基地局側無線処理送信部をさらに備えることができる。
【００１２】
この発明の端末装置は、基地局と無線通信を行う端末装置であって、第１通信方式とは異なり且つ第１通信方式以上のデータ通信容量を有する第２通信方式のベースバンド信号を第２通信方式に基づきベースバンド処理して情報データを出力する端末装置側第２通信方式ベースバンド部と、前記端末装置側第２通信方式ベースバンド部により出力された情報データから取得された第１通信方式のベースバンド信号を第１通信方式に基づきベースバンド処理して情報データを出力する端末装置側第１通信方式ベースバンド部とを備えたことを特徴とする。
【００１３】
ここで、この発明の端末装置において、前記基地局側から送信され端末装置アンテナを介して受信した無線信号を処理して第２通信方式のベースバンド信号、又は前記第２端末装置側通信方式ベースバンド部の前記端末装置側第１通信方式ベースバンド部に対する関係と同じ関係を有する１以上の端末装置側通信方式ベースバンド部を備えた場合は最後の通信方式のベースバンド信号を出力する端末装置側無線処理受信部をさらに備えることができる。
【００１４】
ここで、この発明の端末装置において、前記各端末装置側通信方式ベースバンド部としてソフトウェア無線機を用いることができる。
【発明の効果】
【００１５】
本発明の無線通信システム等によれば、端末装置側第２通信方式ベースバンド部と端末装置側第１通信方式ベースバンド部とによる２段階のベースバンド処理により、古い第１通信方式のアンテナおよび古い第１通信方式の端末装置側無線処理受信部を残しておくことなく、新しい第２通信方式のアンテナおよび新しい第２通信方式の端末装置側無線処理受信部を用いるだけで、古い第１通信方式への対応が可能である。すなわち、第２通信方式と第１通信方式との両方の情報データを取得することができ、第２通信方式を新たに追加する場合において、第１通信方式から第２通信方式への上位互換性を実現することができる。この結果、基地局と端末装置との間の無線通信における新たな第２通信方式または異なる複数の通信方式に対し、コスト、端末装置のサイズ等を増大させなくても対応可能であり、且つ新たな第２通信方式または異なる複数の通信方式のために種々のソフトウェア等を開発する必要性と古い第１通信方式の下で開発されたソフトウェア等の資産の無駄とを避けることが可能な無線通信システム等を提供することができるという効果がある。
【発明を実施するための最良の形態】
【００１６】
以下、実施例について図面を参照して詳細に説明する。
【実施例１】
【００１７】
図１は、本発明の実施例１における無線通信システム１を示す。図１において、符号１０は基地局、２０は基地局１０と無線通信を行う端末装置である。端末装置２０は好適には車両３０に搭載された車載機であり、端末装置アンテナ３２を備えている。以下で、古い通信方式が第１通信方式であり、新たな（または異なる）通信方式が第２通信方式である。
【００１８】
図１に示されるように、基地局１０は、入力した情報データＩｎｆ１を第１通信方式に基づきベースバンド処理して第１通信方式のベースバンド信号ＢＢ１を出力する基地局側第１通信方式ベースバンド部１２を備えている。情報データＩｎｆ１は０、１等で表された情報の元となるデータであり、音声データ、画像データ等のデータである。ベースバンド信号ＢＢ１は情報データＩｎｆ１を第１通信方式に基づきディジタル変調して得られたシンボルである。
【００１９】
続いて、基地局１０は、情報データＩｎｆ２と基地局側第１通信方式ベースバンド部１２により出力された第１通信方式のベースバンド信号ＢＢ１からサンプリングされたデータＢＢ１−ｓａｍｐとを第１通信方式とは異なり且つ第１通信方式以上のデータ通信容量を有する第２通信方式に基づきベースバンド処理して第２通信方式のベースバンド信号ＢＢ２を出力する基地局側第２通信方式ベースバンド部１４を備えている。第２通信方式のデータ通信容量は第１通信方式のデータ通信容量の１桁以上多いことが好適である。基地局側第２通信方式ベースバンド部１４は、第２通信方式の情報データＩｎｆ２と合わせて第１通信方式の情報データＩｎｆ１を変調したデータＢＢ１−ｓａｍｐを重畳させて第２通信方式の変調を行う。この結果、古い第１通信方式において製作された第１通信方式の情報データＩｎｆ１をそのまま用い続けることができるため、第１通信方式の情報データＩｎｆ１等の資産の無駄を避けることができる。
【００２０】
さらに基地局１０は、基地局側第２通信方式ベースバンド部１４により出力された第２通信方式のベースバンド信号ＢＢ２の無線処理（ＩＦ処理およびＲＦ処理）を行って、生成した無線信号ＲＦを基地局アンテナ１８を介して送信する基地局側無線処理送信部１６を備えている。
【００２１】
図１に示されるように、端末装置２０は、基地局側無線処理送信部１６から基地局アンテナ１８を介して送信され、端末装置アンテナ３２を介して受信した無線信号ＲＦの無線処理（ＲＦ処理およびＩＦ処理）を行って、第２通信方式のベースバンド信号ＢＢ２を出力する端末装置側無線処理受信部２６を備えている。すなわち、端末装置２０側では新しい第２通信方式のアンテナ３２により受信し、新しい第２通信方式の端末装置側無線処理受信部２６により無線処理を行う。
【００２２】
続いて、端末装置２０は、端末装置側無線処理受信部２６から出力された第２通信方式のベースバンド信号ＢＢ２を第２通信方式に基づきベースバンド処理して情報データＩｎｆ２を出力する端末装置側第２通信方式ベースバンド部２４を備えている。
【００２３】
さらに端末装置２０は、端末装置側第２通信方式ベースバンド部２４により出力された情報データＩｎｆ２から取得された第１通信方式のベースバンド信号ＢＢ１を第１通信方式に基づきベースバンド処理して、情報データＩｎｆ１を出力する端末装置側第１通信方式ベースバンド部２２を備えている。
【００２４】
上述した端末装置側第２通信方式ベースバンド部２４および端末装置側第１通信方式ベースバンド部２２として、ソフトウェア無線機２８を用いることが好適である。この場合、ソフトウェア無線機２８は各第１および第２通信方式に対応した上記ベースバンド処理をソフトウェアにより用意しておき、ソフトウェア無線機のＣＰＵ（不図示）が、入力した各信号ＢＢ２、Ｉｎｆ２等に応じて対応するソフトウェアに変更して実行すればよい。上記ソフトウェア部分は、ソフトウェアの書換えにより回路構成を変更可能な装置であるＦＰＧＡ（Field Programmable Gate Array）で作成することが可能である。
【００２５】
以上のように、端末装置側第２通信方式ベースバンド部２４と端末装置側第１通信方式ベースバンド部２２とによる２段階のベースバンド処理により、古い第１通信方式のアンテナ（不図示）および古い第１通信方式の端末装置側無線処理受信部(不図示)を残しておくことなく、新しい第２通信方式のアンテナ３２および新しい第２通信方式の端末装置側無線処理受信部２６を用いるだけで、古い第１通信方式への対応が可能である。すなわち、第２通信方式と第１通信方式との両方の情報データＩｎｆ２とＩｎｆ１とを取得することができ、第２通信方式を新たに追加する場合において、第１通信方式から第２通信方式への上位互換性を実現することができる。端末装置側第１通信方式ベースバンド部２２側は古い第１通信方式用に開発されたベースバンド処理ソフトウェアをそのまま利用することができる。無線通信システム１が準拠するべき課金・認証等の無線上位層処理に関するソフトウェアおよびアーキテクチャ等もそのまま利用することが可能であるため、新たな第２通信方式用のソフトウェアおよびアーキテクチャの開発が不要となり、コスト削減が可能となる。さらに、本発明の無線通信システム１によれば、新たな第２通信方式において、古い第１通信方式に対応したソフトウェアの新規開発およびテスト等も不要となるため、コスト削減が可能となる。本発明の無線通信システム１によれば、新たな第２通信方式の設備のみで古い第１通信方式の情報データＩｎｆ１も取得することができるため、新たな第２通信方式の展開を促進させることが可能となる。新たな第２通信方式は一般により通信品質を高めているため、古い第１通信方式を利用した場合と比べて伝送品質を高めることも可能である。自動車向け道路交通情報通信／路車間通信方式における通信方式を取り上げた場合、好適には古い第１通信方式は光または電波ビーコンであり、新たな第２通信方式はＤＳＲＣ（Dedicated Short Range Communication）または今後登場が予想される新しい（自動）車向け無線方式が挙げられる。
【００２６】
上述の説明では、複数の通信方式として第１および第２通信方式をとり上げて説明した。本発明の無線通信システム等は新たに第３の通信方式が登場した場合にも上述と同様に適用可能である。すなわち、基地局１０側では、情報データＩｎｆ３（不図示）と基地局側第２通信方式ベースバンド部１４により出力された第２通信方式のベースバンド信号ＢＢ２からサンプリングされたデータＢＢ２−ｓａｍｐ（不図示）とを第２通信方式とは異なり且つ第２通信方式以上のデータ通信容量を有する第３通信方式に基づきベースバンド処理して第３通信方式のベースバンド信号ＢＢ３（不図示）を出力する基地局側第３通信方式ベースバンド部（不図示）を備えることができる。第２基地局側通信方式ベースバンド部１４の基地局側第１通信方式ベースバンド部１２に対する関係と同様に、第３通信方式のデータ通信容量は第２通信方式のデータ通信容量より１桁以上多いことが好適である。この場合、基地局側無線処理送信部１６は基地局側第３通信方式ベースバンド部により出力された第３通信方式のベースバンド信号ＢＢ３の無線処理を行って、生成した無線信号ＲＦを基地局アンテナ１８を介して送信する。
【００２７】
上述の場合、端末装置側無線処理受信部２６では、基地局側無線処理送信部１６から基地局アンテナ１８を介して送信され、端末装置アンテナ３２を介して受信した無線信号ＲＦを処理して、第３通信方式のベースバンド信号ＢＢ３（不図示）を出力することになる。さらに、端末装置２０は、端末装置側無線処理受信部２６から出力された第３通信方式のベースバンド信号ＢＢ３を第３通信方式に基づきベースバンド処理して情報データＩｎｆ３（不図示）を出力する端末装置側第３通信方式ベースバンド部（不図示）をさらに備えることができる。端末装置側第２通信方式ベースバンド部２４は、端末装置側第３通信方式ベースバンド部により出力された情報データＩｎｆ３から取得された第２通信方式のベースバンド信号ＢＢ２を第２通信方式に基づきベースバンド処理して、情報データＩｎｆ２を出力する。端末装置側第１通信方式ベースバンド部２２は、端末装置側第２通信方式ベースバンド部２４により出力された情報データＩｎｆ２から取得された第１通信方式のベースバンド信号ＢＢ１を第１通信方式に基づきベースバンド処理して、情報データＩｎｆ１を出力する。
【００２８】
上述の説明は、さらに一般的に拡張することが可能である。すなわち、基地局１０側は、第２基地局側通信方式ベースバンド部１４の基地局側第１通信方式ベースバンド部１２に対する関係と同じ関係を有する１以上の基地局側通信方式ベースバンド部（不図示）を備えることができる。この場合、基地局側無線処理送信部１６は、これら１以上の基地局側通信方式ベースバンド部の最後の基地局側通信方式ベースバンド部（上例のように第１から第３通信方式までであれば基地局側第３通信方式ベースバンド部）により出力された最後の通信方式のベースバンド信号（上例の場合はＢＢ３）の無線処理を行って生成した無線信号を基地局アンテナ１８を介して送信することができる。同様に、端末装置２０側は、第２端末装置側通信方式ベースバンド部２４の端末装置側第１通信方式ベースバンド部２２に対する関係と同じ関係を有する１以上の端末装置側通信方式ベースバンド部（不図示）を備えることができる。この場合、端末装置側無線処理受信部２６は、基地局側無線処理送信部１６により送信され端末装置アンテナ３２を介して受信した無線信号ＲＦを処理して、最後の通信方式のベースバンド信号（上例のように第１から第３通信方式までであればＢＢ３）を出力する。
【００２９】
以上より、本発明の実施例１によれば、基地局１０は、入力した情報データＩｎｆ１を第１通信方式に基づきベースバンド処理して第１通信方式のベースバンド信号ＢＢ１を出力する基地局側第１通信方式ベースバンド部１２を備えている。さらに、情報データＩｎｆ２と基地局側第１通信方式ベースバンド部１２により出力された第１通信方式のベースバンド信号ＢＢ１からサンプリングされたデータＢＢ１−ｓａｍｐとを第１通信方式とは異なり且つ第１通信方式以上のデータ通信容量を有する第２通信方式に基づきベースバンド処理して第２通信方式のベースバンド信号ＢＢ２を出力する基地局側第２通信方式ベースバンド部１４を備えている。さらに基地局１０は、基地局側第２通信方式ベースバンド部１４により出力された第２通信方式のベースバンド信号ＢＢ２の無線処理（ＩＦ処理およびＲＦ処理）を行って、生成した無線信号ＲＦを基地局アンテナ１８を介して送信する基地局側無線処理送信部１６を備えている。端末装置２０は、基地局側無線処理送信部１６から基地局アンテナ１８を介して送信され、端末装置アンテナ３２を介して受信した無線信号ＲＦの無線処理（ＲＦ処理およびＩＦ処理）を行って、第２通信方式のベースバンド信号ＢＢ２を出力する端末装置側無線処理受信部２６を備えている。端末装置２０は、端末装置側無線処理受信部２６から出力された第２通信方式のベースバンド信号ＢＢ２を第２通信方式に基づきベースバンド処理して情報データＩｎｆ２を出力する端末装置側第２通信方式ベースバンド部２４を備えている。さらに端末装置２０は、端末装置側第２通信方式ベースバンド部２４により出力された情報データＩｎｆ２から取得された第１通信方式のベースバンド信号ＢＢ１を第１通信方式に基づきベースバンド処理して、情報データＩｎｆ１を出力する端末装置側第１通信方式ベースバンド部２２を備えている。
【００３０】
端末装置側第２通信方式ベースバンド部２４と端末装置側第１通信方式ベースバンド部２２とによる２段階のベースバンド処理により、古い第１通信方式のアンテナ（不図示）および古い第１通信方式の端末装置側無線処理受信部(不図示)を残しておくことなく、新しい第２通信方式のアンテナ３２および新しい第２通信方式の端末装置側無線処理受信部２６を用いるだけで、古い第１通信方式への対応が可能である。すなわち、第２通信方式と第１通信方式との両方の情報データＩｎｆ２とＩｎｆ１とを取得することができ、第２通信方式を新たに追加する場合において、第１通信方式から第２通信方式への上位互換性を実現することができる。この結果、基地局１０と端末装置２０との間の無線通信における新たな通信方式（第２通信方式）または異なる複数の通信方式に対し、コスト、端末装置のサイズ等を増大させなくても対応可能であり、且つ新たな通信方式または異なる複数の通信方式のために種々のソフトウェア等を開発する必要性と古い通信方式（第１通信方式）の下で開発されたソフトウェア等の資産の無駄とを避けることが可能な無線通信システム等を提供することができる。
【産業上の利用可能性】
【００３１】
本発明の活用例として、自動車向け道路交通情報通信／路車間通信方式等への適用が挙げられる。
【図面の簡単な説明】
【００３２】
【図１】本発明の実施例１における無線通信システム１を示す図である。
【符号の説明】
【００３３】
１  無線通信システム、  １０  基地局、  １２  基地局側第１通信方式ベースバンド部、  １４  基地局側第２通信方式ベースバンド部、  １６  基地局側無線処理送信部、  １８  基地局アンテナ、  ２０  端末装置、  ２２  端末装置側第１通信方式ベースバンド部、  ２４  端末装置側第２通信方式ベースバンド部、  ２６  端末装置側無線処理受信部、  ３０  車両、  ３２  端末装置アンテナ。
【図１】
2008252492.tif 000003